(57)【要約】【課題】内容物を取出す時に、蓋が半開きの状態で残ったり、グラグラ動いたりせず、また蓋戻りしないように全開した位置でロックできる係止手段を設けたヒンジ蓋を有する小型筒状容器を提供する。【解決手段】身、蓋形式のカートンであり、カートン胴部の背面パネルに切起しができる連結片を区画し該連結片の下側の位置に、連結片のヒンジとして用いる折線を設けるとともに、該折線よりも下方に凸となる制動突起を連結片と一体的に形成し、前記連結片の上部が前記一対の折線の一端を結ぶ切断線により背面パネルと分離されるように構成したうえで、前記連結片をかぶせ蓋の背面パネルの内側に貼着し、前記かぶせ蓋を開閉させるときに、前記連結片と一体に形成した制動突起を前記背面パネルの内側に貼着した折返し片に接触させてこじることにより、該折返し片を内方に弾いて制動突起で前記かぶせ蓋を開放位置で係止する。【選択図】      図１
2004244053.tif 000002
【特許請求の範囲】
【請求項１】
前面パネル及び背面パネル並びに左右の側面パネルを四角筒状に接合し、底面は底フラップで封緘し、上面は開放された四角筒状開口部であって、それぞれのパネルの上部に折返し片を連接して各折返し片を各パネルの内側に折返して胴部内面に接着してなる筒状胴部と、かぶせ蓋とからなる身、蓋形式のカートンであり、
前記背面パネルにおける折返し片が接合される面に、切起しできる連結片を区画し、該連結片の下部位置に、連結片のヒンジとして用いる折線を設けるとともに、該折線よりも下方に凸となる制動突起を該連結片と一体的に形成し、
さらに前記連結片の上部が前記折線の端を結ぶ切断線により背面パネルと分離されるように構成したうえで、前記連結片を前記蓋の背面パネルの内側に貼着し、
また前記折線をヒンジとして前記かぶせ蓋を開閉させるときに、前記制動突起を前記背面パネルの内側に貼着した折返し片に接触させてこじることにより該折返し片を内方に弾いて、該制動突起で前記かぶせ蓋を開放位置で係止できるようにしたことを特徴とするロック機構付ヒンジ蓋を有する容器。
【請求項２】
前記制動突起は、前記連結片の下部位置に、少なくとも２以上形成されていることを特徴とする請求項１に記載のロック機構付ヒンジ蓋を有する容器。
【発明の詳細な説明】
【０００１】
【発明の属する技術分野】
本発明はロック機構付ヒンジ蓋を有する容器に関する。
【０００２】
【従来の技術】
従来、家庭用の粉末洗剤を収納する小型角筒容器を、身、蓋式のカートンで作ることは知られている。また、カートンの蓋としてヒンジタイプのかぶせ蓋を使用することも知られている。
この粉末洗剤入りのカートンで使用されているヒンジタイプのかぶせ蓋は、特許文献１に示されているように、蓋の後面パネルに、折線（ヒンジ）を介して接合片を設け、この接合片を胴部の背面パネルに連結したり、別途用意した添付シ―ルで蓋の後面パネルと胴部の背面パネルとを連結した構造となっていた。
【０００３】
【特許文献１】
特開平９―２７８０３３号公報
【０００４】
ところで粉末洗剤カートンのかぶせ蓋は、開封時にあけ易いことと、容易に再封できること、及び粉末洗剤をスプーン等を使用して小出しに取出す時に、蓋が半開きの状態で残ったり，グラグラ動いたりしないで、全面開放（全開）することができ、かつ蓋戻りしないように全開した位置でロックできることが使用上要請されていた。
【０００５】
【発明が解決しようとする課題】
しかしながら従来のヒンジタイプのかぶせ蓋は、蓋に開放時のロック機能がないために、内容物の取出時に開口した蓋が閉じ側に戻ったり、９０度未満の半開き状態になりやすい。また、蓋がグラグラしないように手で押える必要があるので面倒であった。
そのために内容物の小出し作業がしにくくなるという問題を有している。
本発明は、上記の問題点に鑑み、主として粉末洗剤カートンのかぶせ蓋であって、開封時にあけ易いことと、完全に再封できること、及び内容物を取出す時に蓋が半開きの状態で残ったり，グラグラ動いたりせず、また蓋戻りしないように、蓋が９０度以上に開いた全開位置でロックのできる係止手段を設けたヒンジ蓋を有する小型筒状容器を提供しようとするものである。
【０００６】
【課題を解決するための手段】
上記の課題を解決するために、本発明の第１は、前面パネル及び背面パネル並びに左右の側面パネルを四角筒状に接合し、底面を底フラップで封緘し、上面は開放された開放された四角筒状開口部であって、それぞれのパネルの上部に折返し片を連接して各折返し片を各パネルの内側に折返して胴部内面に接着してなる筒状胴部と、かぶせ蓋とからなる身、蓋形式のカートンであり、
前記背面パネルにおける折返し片が接合される面に、切起しができる連結片を区画し、該連結片の下部に、連結片のヒンジとして用いる折線を設けるとともに、該折線よりも下方に凸となる制動突起を連結片と一体的に形成し、
さらに前記連結片の上部が前記折線の一端を結ぶ切断線により背面パネルと分離されるように構成したうえで、前記連結片を前記蓋の背面パネルの内側に貼着し、
また、前記折線をヒンジとして前記かぶせ蓋を開閉させるときに、前記連結片と一体に形成した制動突起を前記背面パネルの内側に貼着した折返し片に接触させてこじることにより、該折返し片を内方に弾いて制動突起で前記かぶせ蓋を開放位置で係止できるようにしたことを特徴とするロック機構付ヒンジかぶせ蓋を有する容器にかかるものである。
【０００７】
本発明の第２は、前記制動突起が、前記連結片の下部位置に、少なくとも２以上形成されていることを特徴とする第１の発明の容器である。
【０００８】
【発明の実施の形態】
以下、本発明の実施の形態を添付図面を参照して説明する。
図１〜図７は発明を実施する形態の一例であって、基本的な構成は前記した特許文献１に示すものと同じである。
【０００９】
図１は、本実施例のカートンの胴部を構成するブランクの展開図である。このブランクに使用される素材は、一例として紙を主体とする米坪で４００ｇ／ｃｍ２以上の坪量を有するシートを用いることが好ましい。
【００１０】
本実施例は、前記ブランクシートの中央部に、カートンの胴部Ｃを構成する４枚の矩形パネル１〜４を一方向に連接している。図において符号１は背面パネル、３は前面パネル、２及び４は左右の側面パネルを示し、それぞれ折線を介して交互に連設されている。なお符号５は、側板１の一方の端縁に連設した胴貼りフラップ（糊代片）である。
背面パネル１と前面パネル３の下端には、それぞれ底面を封かんするための外フラップ６、８を、また左右の側面パネル２、４の下端には底面封かん用内フラップ７、９を、折線を介して連接している。
また前記４枚のパネル１〜４の上端には折り返し片１１〜１４をそれぞれ連設している。
【００１１】
前記４枚のパネルを胴貼りする際に折り返し片１１〜１４が４枚のパネル１〜４の内側に折り返される。これによりカートン上部の補強、粉漏れ防止、防湿シール紙の安定化の役割を果たす。
なお、各パネルと折り返し片との間に設けられた折線は、通常の罫線でも良いが、罫線の上に、ブランク板厚の半分程度まで切込みを入れたハーフカット線あるいはミシン目を施して折り曲げやすくした折線（これをリード罫という）とすることが好ましい。
【００１２】
また背面パネル１における折り返し片が接合される面（図１に斜線を施した個所）に、切起し可能な連結片１５を区画する。該連結片１５はその下側の水平方向位置に、連結片のヒンジとして用いる折線Ｘ１、Ｘ２を設けるとともに、前記折線Ｘ１、Ｘ２の間に該折線よりも下方に凸となる制動突起Ｙを連結片１５と一体的に形成する。そして、前記連結片１５の上部は、折線の一端を結ぶ切断線Ｚにより背面パネル１と分離されるように形成する。ちなみに図示の切断線Ｚは下向きに開いたコの字形に形成されている。
【００１３】
カートンの胴部パネルの成形時に各パネルの上端に連設された折り返し片１１、１２、１３、１４を各パネル１〜４の内側に折り重ねて接着する。次に胴貼りフラップ５を側面パネル４に貼着する。胴部成形後、底面封かん用内フラップ７、９を、側板２，４に対しほぼ直角になるように内側に折り曲げ、ついで底面封かん用外フラップ６，８を内フラップ７，９の外側に折り重ねて接着する。そして胴部底面を封緘した後、内容物をカートンの胴部内に納め、グラシン紙などのシール材で内容物が飛散しないようにカートンの胴部開口面をトップシールする。
【００１４】
図３は、かぶせ蓋のブランクの展開図であり、四角形の蓋板２１の４辺に折線を介して蓋の前パネル２２及び蓋の後パネル２３並びに蓋の左右パネル２４、２５を連接し、それぞれの蓋パネルの端部はコーナー片２６〜２９により連係し、前記したカートンの胴部の上面に嵌着するように構成されている。図４はかぶせ蓋の組立説明図で、この蓋は胴部開口面にトップシールがなされた後、蓋用の連結片１５を前記蓋の背面パネルの内側に貼着することで、かぶせ蓋を筒状胴部Ｃに一体に取付けて包装作業を終了する。（図５参照）
【００１５】
次に実施の形態のかぶせ蓋の作動を説明すると、使用時に前記かぶせ蓋を開閉させるときは、かぶせ蓋とカートンの胴部を連結する連結片１５に設けた前記折線Ｘ１、Ｘ２をヒンジとして蓋を回転させる。すなわち、かぶせ蓋を開閉する際には、前記連結片の下部に一体に形成された制動突起Ｙを図７（Ａ）のように前記背面パネルの内側に貼着した折返し片１１に接触させてこじることにより、該折返し片を内方に弾くことで節度感（クリック感）をもつ開閉操作を行うことができる。（図６及び図７（Ｂ）参照）
【００１６】
また、このかぶせ蓋が９０度以上回転すると、図７の（Ｂ）に示すように、前記連結片１５の下部に形成された制動突起Ｙが水平なレベルを越え上方に回転し、すると前記背面パネル１の内側に貼着した折返し片１１でロックされるから、カートン胴部から内容物を取出す時にかぶせ蓋が半開きの状態で残ったり、グラグラ動いたりしない。またこのかぶせ蓋は９０度以上全開した位置で安定するから、蓋をいちいち手で押える必要がないので内容物の小出し作業がはかどる。
さらに再封するときは、かぶせ蓋とカートンの胴部とがヒンジにより連結されているからカートンと蓋が分離、散逸することがなく、又再封しやすいので使い勝手が向上する。なお、ヒンジ幅は箱幅（胴部の幅）の２／３以上に設定するのがよく、このようにした場合、安定した蓋の開閉が可能となる。制動突起Ｙの折返し片１１に向かっての突出幅は３ｍｍ以下であれば、スムーズに節動感が得られ好ましいが、それを越えるとかぶせ蓋が全開しにくくなることがある。
【００１７】
なお本発明の前記制動突起Ｙの位置は、前記実施例に限定されるものではない。すなわち、前記実施例では折線Ｘ１、Ｘ２の間に１つ設けているが、図８にも示すように連結片に２以上形成させることも可能である。その例を図８に示した。
【００１８】
【発明の効果】
以上、説明したように本発明によれば、開封時にかぶせ蓋があけ易いことと、容易に再封できることと、粉末洗剤をスプーン等を使用して小出しに取出す時にかぶせ蓋が半開きの状態で残ったり、グラグラ動いたりしないで、全面開放することができ、かつ蓋戻りしないように全開した位置でロック係止できるという優れた効果を奏する。
【図面の簡単な説明】
【図１】図１は、本実施例のカートンの胴部を構成するブランクの展開図である。
【図２】カートンの胴部の組立説明図である。
【図３】図３は、かぶせ蓋のブランクの展開図である。
【図４】かぶせ蓋の組立説明図である。
【図５】かぶせ蓋をカートン胴部に一体に取付けた状態を示す斜視図である。
【図６】かぶせ蓋の全開時の背面斜視図である。
【図７】かぶせ蓋の挙動を示す説明図であり、（Ａ）はかぶせ蓋を回転させたときに、連結片１５の下部に一体に形成された制動突起Ｙがカートンの背面パネル１の内側に貼着した折返し片１１に接した状態を示す。（Ｂ）は制動突起Ｙが水平なレベルを越えて、背面パネル１の内側に貼着した折返し片１１に係止ロックされた状態を示している。
【図８】本発明の他の実施例を示す部分説明図である。
【符号の説明】
１  背面パネル
３  前面パネル
２，４  側面パネル
５  胴貼りフラップ
６，８  底面封かん用外フラップ
７，９  底面封かん用内フラップ
１１〜１４  折り返し片
１５  連結片
Ｘ１、Ｘ２  連結用ヒンジ
Ｙ  制動突起
Ｚ  切断線
２１  蓋板
２２  蓋の前パネル
２２  蓋の後パネル
２４，２５  蓋の左右パネル
２６〜２９  蓋のコーナ片
Ｃ  カートンの胴部
【図１】
2004244053.tif 000003
【図２】
2004244053.tif 000004
【図３】
2004244053.tif 000005
【図４】
2004244053.tif 000006
【図５】
2004244053.tif 000007
【図６】
2004244053.tif 000008
【図７】
2004244053.tif 000009
【図８】
2004244053.tif 000010